(57)【要約】【課題】記録媒体の表裏面に対し最端部までの記録を安定して行う、いわゆる「ふちなし記録」を、紙詰まりのない正常な記録媒体の搬送を行いつつ、安定した状態で実行可能なインクジェット記録方法を提供する。【解決手段】記録媒体１０５の表面に「ふち無し記録」を行った後に、所定時間待機してから記録媒体１０５の裏面の記録を行うための搬送を行う。これにより、表面の記録で吸収されたインクが充分に乾燥および定着し、記録媒体１０５の最端部において、正常な搬送が可能な強度に復活されてから、裏面記録のための搬送が開始される。【選択図】        図３
2005007820.tif 000002
【特許請求の範囲】
【請求項１】
複数の記録素子からインクを吐出させて記録媒体の表裏面に画像を形成するインクジェット記録方法において、
前記記録媒体の表面に前記記録媒体の最端部領域まで記録を行う表面記録工程と、
前記表面記録工程の後に所定時間待機する待機工程と、
前記待機工程の後に前記記録媒体の表裏面を反転する反転工程と、
前記反転工程の後に前記記録媒体の裏面に記録を行う裏面記録工程と
を有することを特徴とするインクジェット記録方法。
【請求項２】
複数の記録素子からインクを吐出させて記録媒体の表裏面に画像を形成するインクジェット記録方法において、
前記記録媒体の表面に記録を行う表面記録工程と、
前記表面記録工程の後に所定時間待機する待機工程と、
前記待機工程の後に前記記録媒体の表裏面を反転する反転工程と、
前記反転工程の後に前記記録媒体の裏面に記録を行う裏面記録工程と
を有し、
前記表面記録工程における記録が前記記録媒体の最端部領域まで記録を行う場合と行わない場合とで、前記待機工程における待機時間が異なることを特徴とするインクジェット記録方法。
【請求項３】
前記表面記録工程における記録で前記記録媒体の最端部領域まで記録を行う場合の前記待機時間は、前記表面記録工程における記録で前記記録媒体の最端部領域まで記録を行わない場合の前記待機時間よりも長く設定されることを特徴とする請求項２に記載のインクジェット記録方法。
【請求項４】
複数の記録素子からインクを吐出させて記録媒体の表裏面に画像を形成するインクジェット記録方法において、
前記記録媒体の表裏面にそれぞれ記録する２つの画像データのうち、記録する順番を判断する判断工程と、
該判断工程により先に記録すると判断された画像データについて前記記録媒体の第１面に記録を行う第１面記録工程と、
前記第１表面記録工程の後に所定時間待機する待機工程と、
前記待機工程の後に前記記録媒体の表裏面を反転する反転工程と、
前記反転工程の後に前記記録媒体の第２面に対し、前記判断工程により後に記録すると判断された画像データについて記録を行う第２面記録工程と
を有し、前記判断工程は、前記記録媒体の表裏面に記録を行う２つの画像データに、前記記録媒体の最端部領域まで記録を行う画像データが含まれているか否かを検出し、前記記録媒体の最端部領域まで記録を行わない画像データが存在する場合には、該画像データを前記第１面記録工程において記録するようにと判断することを特徴とする請求項３に記載のインクジェット記録方法。
【発明の詳細な説明】
【０００１】
【発明の属する技術分野】
本発明は、自動両面印刷ユニットを内蔵したり、オプションでユニットを結合することにより、自動で記録媒体の両面に印刷することが可能なインクジェット記録装置において、記録媒体の最端部まで記録するいわゆるふちなし記録を行う為の記録方法に関するものである。
【０００２】
【従来の技術】
近年、インクジェット記録装置においては、画像品位や記録速度の向上のみならず、その機能の多角化が著しく、ユーザにとって有用な機能が次々と実現されている。例えば、ユーザが手差しで給紙させることなく、記録装置内部で記録媒体の反転を可能となるようなユニットを内蔵、または装着し、自動で記録媒体への両面印刷を可能としたものなども多く提供されている。
【０００３】
このような両面印刷可能な記録装置においては、最初の面を記録した時点で、記録媒体の状態に変化が生じることから、これに伴う様々な弊害を懸念し、回避するための構成が既にいくつか提案されている（例えば、特許文献１、特許文献２参照。）。特許文献１によれば、裏面印刷時のにじみや記録媒体反転時の記録面の汚損による画質の劣化を低減する為に、記録媒体へのインク浸透が少なく、より速く乾燥する頁を先に記録する制御方法が開示されている。また、特許文献２によれば、最初の面を記録した時点で記録媒体の搬送状態が不安定になることを懸念して、裏面側の記録を行う際の位置決めを正確に行うために搬送のタイミングなどを制御する方法が開示されている。
【０００４】
一方、インクジェット記録装置の画像品位が向上するにつれて、写真画像の記録を、記録媒体の最端部まで記録するいわゆる「ふちなし記録」を行う記録装置も近年多く提供されている。
【０００５】
ユーザは、このような様々な機能を利用しつつ、高品位な画像を得ることが可能となってきている。
【０００６】
【特許文献１】
特開平１０−３２４０３８号公報
【特許文献２】
特開２００１−２８７４２８号公報
【発明が解決しようとする課題】
しかしながら、インクジェット記録装置においては、上記で説明した２つの機能を同時に行おうとしたとき、新たな問題が生じていた。「ふちなし記録」を自動で両面印刷する場合、まず、１ページ目に「ふちなし記録」を行い、次いで、片面が最端部まで記録済みの記録媒体を自動両面印刷ユニットに搬送して反転させた後、もう一方の面の記録を行うことになる。この場合、記録媒体の最端部は、インク液を含んで強度が低下していることが多く、このために記録装置内で紙詰まりが発生したり、記録媒体の搬送が正常に行えないという問題が起こっていた。
【０００７】
このような問題は、「ふちなし記録」特有の問題であって、上述した特許文献１のように、速く乾燥する頁の記録を先に行うような手法を採ったり、特許文献２の実施形態のように、１ページ目の記録の後、所定の待ち時間Δｔを経過した後、画像が乾いてから裏面への記録を開始するような構成にしたとしても、充分な解決は得られていなかった。なぜなら、上記特許文献においては、片面の記録画像全体の乾燥に着目していたとしても、記録媒体の最端部近傍に特に着目しているわけではないので、記録媒体の最端部において、局所的に乾燥不充分である場合が生じてしまっていたのである。
【０００８】
本発明は上述の問題点を解消するためになされたものであり、その目的とするところは、記録媒体の表裏面に対し最端部までの記録を安定して行う、いわゆる「ふちなし記録」を、紙詰まりのない正常な記録媒体の搬送を行いつつ、安定した状態で実行可能なインクジェット記録方法を提供することである。
【０００９】
【課題を解決するための手段】
そのために本発明では、複数の記録素子からインクを吐出させて記録媒体の表裏面に画像を形成するインクジェット記録方法において、前記記録媒体の表面に前記記録媒体の最端部領域まで記録を行う表面記録工程と、前記表面記録工程の後に所定時間待機する待機工程と、前記待機工程の後に前記記録媒体の表裏面を反転する反転工程と、前記反転工程の後に前記記録媒体の裏面に記録を行う裏面記録工程とを有することを特徴とする。
【００１０】
また、複数の記録素子からインクを吐出させて記録媒体の表裏面に画像を形成するインクジェット記録方法において、前記記録媒体の表面に記録を行う表面記録工程と、前記表面記録工程の後に所定時間待機する待機工程と、前記待機工程の後に前記記録媒体の表裏面を反転する反転工程と、前記反転工程の後に前記記録媒体の裏面に記録を行う裏面記録工程とを有し、前記表面記録工程における記録が前記記録媒体の最端部領域まで記録を行う場合と行わない場合とで、前記待機工程における待機時間が異なることを特徴とする。
【００１１】
更に、複数の記録素子からインクを吐出させて記録媒体の表裏面に画像を形成するインクジェット記録方法において、前記記録媒体の表裏面にそれぞれ記録する２つの画像データのうち、記録する順番を判断する判断工程と、該判断工程により先に記録すると判断された画像データについて前記記録媒体の第１面に記録を行う第１面記録工程と、前記第１表面記録工程の後に所定時間待機する待機工程と、前記待機工程の後に前記記録媒体の表裏面を反転する反転工程と、前記反転工程の後に前記記録媒体の第２面に対し、前記判断工程により後に記録すると判断された画像データについて記録を行う第２面記録工程とを有し、前記判断工程は、前記記録媒体の表裏面に記録を行う２つの画像データに、前記記録媒体の最端部領域まで記録を行う画像データが含まれているか否かを検出し、前記記録媒体の最端部領域まで記録を行わない画像データが存在する場合には、該画像データを前記第１面記録工程において記録するようにと判断することを特徴とする。
【００１２】
以上の構成によれば、表面の記録で吸収されたインクが充分に乾燥および定着し、記録媒体の最端部において、正常な搬送が可能な強度に復活されてから、裏面記録のための搬送が開始されるので、インク液を含んで強度が低下している状態で搬送することに起因する紙詰まりを防止し、記録媒体の搬送を正常に行うことが可能となる。
【００１３】
【発明の実施の形態】
以下に、本発明の実施形態を詳細に説明する。
【００１４】
図１は、本発明に適用可能な記録装置の内部構成を説明する為の模式的な側断面図を示している。図において、１００はインクジェット記録装置の本体である（以下、単に記録装置とも言う。）。１０１は、自動両面印刷ユニットであり、インクジェット記録装置１００に対し、着脱可能となっている。自動両面印刷ユニット１０１の内部には、記録媒体１０５の表裏面を反転するための反転ローラ１０７が具備されている。
【００１５】
記録を行う際、給紙トレイ１０４に積載されている記録媒体１０５は、図の矢印の方向へ給紙され、搬送ロ−ラ１０３によって記録ヘッド１０２が記録可能な位置まで搬送される。本実施形態で適用する記録ヘッド１０２は、シリアル型の記録ヘッドであり、図面鉛直方向に往復移動を行いながらインク滴を吐出することによって、記録媒体１０５に対し画像の記録を行う。また、搬送ローラ１０３は、記録ヘッド１０２による１ライン分の記録が終了すると、記録媒体１０５を矢印の方向へ所定量搬送させる。このように、記録ヘッド１０２による記録走査と搬送ローラ１０３による記録媒体１０５の副走査とを交互に繰り返すことにより、記録媒体１０５に順次画像が形成されていく。
【００１６】
両面印刷を行なわない際、片面の記録が完了した記録媒体１０５は、搬送ローラ１０３によって排紙トレイ１０６へとそのまま排出される。しかし、両面印刷を行う際には、もう一方の面の記録を行うために、搬送ローラは逆方向に回転し、記録媒体１０５を自動両面ユニット１０１へと搬送させる。記録媒体１０５は反転ローラ１０７が矢印の方向へ回転することにより、表裏面が反転されて、記録が行なわれていない面が上側にセットされる。そして、この状態で再び記録ヘッド１０２の記録位置へと搬送される。
【００１７】
図２は、本実施形態で適用するインクジェット記録装置の制御の構成を説明する為の簡単なブロック図である。図２において、２００はＣＰＵである。ＣＰＵ２００は、記録装置と外部接続されたホスト装置３００から転送されてくる各種コマンドや画像データと、ＲＯＭ２０１に記録されたプログラムに従って、各機能を制御する。
【００１８】
図３は、本実施形態で「ふちなし記録」を自動両面印刷で行う例を、記録の過程を段階ごとに説明する為の模式図である。
【００１９】
まず、ステップ１において、ユーザは、ホスト装置３００のアプリケーションソフトにおいて記録画像を作成する。
【００２０】
記録を行う際には、ユーザはホスト装置３００内にインストールされたプリンタドライバＵＩ（ユーザインターフェイス）を用いて、記録に関わる設定を行う。例えばここでは、「両面印刷」、「ふちなし記録」、「Ａ４サイズ」および「普通紙」を選択したとする。そして、ユーザが記録開始のコマンドを入力した時点で、ホスト装置３００はプリンタドライバから、画像データとともに、両面印刷命令コマンド、「ふちなし記録」を指示するコマンド（具体的には、記録開始位置がＡ４サイズ用紙の角であり記録範囲がＡ４サイズより＋２ｍｍずつ横、縦ともにはみだすこと）、紙種が普通紙であるというコマンドなどを記録装置に転送する（ステップ２）。
【００２１】
記録装置内のＣＰＵ２００は、ＲＯＭ２０１の内容に従い、転送されてきた画像データに各種処理を施した後、記録動作に入り給紙を開始させる（ステップ３）。
【００２２】
給紙が行なわれ、記録ヘッド１０２の記録位置まで記録媒体１０５の最先端部が達すると、記録ヘッド１０２は記録を開始する。記録ヘッド１０２による記録走査と、搬送ローラ１０３による副走査とを繰り返し、記録媒体１０５の最後端部までの記録が完了すると、搬送ローラ１０３は停止した状態でＴ秒間待機する（ステップ４）。ここで、Ｔの値は、記録媒体１０２の最後端部に着弾されたインクが充分乾燥し、記録媒体１０２に完全に定着するに充分な値であればよく、環境や記録装置の状況によって、調節することができる。本実施形態では、この値を７秒とする。
【００２３】
一方、ホスト装置から転送されてきたコマンドが「ふちなし記録」で無かった場合には、待機時間は別値であるＳ秒と設定されている。Ｓの値は、最後に記録された領域が、その後搬送される自動両面印刷ユニットの反転ローラ１０７や記録装置内部を汚さない為に充分な時間であればよく、その目的や時間の設定は、特許文献２に準じるものであって良い。本実施形態においては、Ｔ＞Ｓとし、Ｓ＝２秒と設定している。
【００２４】
このように本実施形態の特徴の１つは、「ふちなし記録」でないの場合の両面印刷と、「ふちなし記録」である場合の両面印刷とにおいて、両者ともに１ページ目の印刷後には待機時間を設定しておきながら、その値を異ならせていることとである。
【００２５】
Ｔ＝７秒が経過すると、搬送ローラ１０３は、記録媒体１０５を自動両面印刷ユニット１０１に搬送する。自動両面ユニット１０１内の反転ローラ１０７は、図の様に回転し、記録が行なわれていない面を、上側にするように、記録媒体１０５を裏返す役割を果たす（ステップ５）。
【００２６】
裏返された記録媒体１０５の最先端部は、再び記録ヘッド１０２の記録位置に配置され、記録ヘッド１０２は裏面側へのふちなし記録を開始する（ステップ６）。
【００２７】
そして、記録媒体１０２の最後端部の記録が完了すると、搬送ローラ１０３により、記録媒体１０２が排紙トレイ１０６に排紙される（ステップ７）。
【００２８】
以上で、両面ふちなし画像の記録が完了する。
【００２９】
次に、本実施形態における別の条件の記録例を説明する。ここでは、記録画像の片面が「ふちなし印刷」であり、もう片面が「ふちあり印刷」である場合とする。
【００３０】
図４は、片面が「ふちなし記録」、もう片面が「ふちあり記録」を自動両面印刷で行う例を、記録の過程を段階ごとに説明する為の模式図である。
【００３１】
まず、ステップ４１において、ユーザは、ホスト装置３００のアプリケーションソフトによって記録画像を作成する。
【００３２】
記録を行う際には、ユーザはホスト装置３００内にインストールされたプリンタドライバＵＩを用いて、記録に関わる設定を行う。例えばここでは、「両面印刷」、「１ページ目：ふちなし記録、２ページ目：ふちあり記録」、「Ａ４サイズ」および「普通紙」を選択したとする。そして、ユーザが記録開始のコマンドを入力した時点で、ホスト装置３００はプリンタドライバから、画像データとともに、両面印刷命令コマンド、「１ページ目：ふちなし記録、２ページ目：ふちあり記録」を指示するコマンド（具体的には、１ページ目の記録開始位置がＡ４サイズ用紙の角であり記録範囲がＡ４サイズより＋２ｍｍずつ横、縦ともにはみだすこと）、紙種が普通紙であるというコマンドなどを記録装置に転送する（ステップ４２）。
【００３３】
記録装置内のＣＰＵ２００は、ＲＯＭ２０１の内容に従い、転送されてきた画像データに各種処理を施した後、記録動作に入り給紙を開始させる。このとき、本実施形態においては、２ページ目の記録を最初に行い、次いで裏面に１ページ目の記録を行う様に制御される（ステップ４３）。
【００３４】
給紙が行なわれ、記録ヘッド１０２の記録位置まで記録媒体１０５の最先端から余白分の搬送が行なわれると、記録ヘッド１０２は２ページ目の記録を開始する。記録ヘッド１０２による記録走査と、搬送ローラ１０３による副走査とを繰り返し、２ページ目の記録が完了すると、搬送ローラ１０３は停止した状態でＳ＝２秒間待機する（ステップ４４）。
【００３５】
２秒が経過すると、搬送ローラ１０３は、記録媒体１０５を自動両面印刷ユニット１０１に搬送する。自動両面ユニット１０１内の反転ローラ１０７は、図の様に回転し、記録が行なわれていない面を、上側にするように、記録媒体１０５を裏返す役割を果たす（ステップ４５）。
【００３６】
裏返された記録媒体１０５の最先端部は、再び記録ヘッド１０２の記録位置に配置され、記録ヘッド１０２は裏面側へ１ページ目の「ふちなし記録」を開始する（ステップ４６）。
【００３７】
そして、記録媒体１０２の最後端部の記録が完了すると、搬送ローラ１０３により、記録媒体１０２が排紙トレイ１０６に排紙される（ステップ４７）。
【００３８】
以上で、「片面ふちなし記録、片面ふちあり記録」画像の記録が完了する。
【００３９】
以上２つの例から分かるように、本実施形態によれば、両面記録を行うに当たり、２つのページの記録が「ふちなし記録」か「ふちあり記録」かによって、その記録動作工程が異なっている。両者が混在している場合には、ページ順に関わらず、より待機時間の少ない「ふちあり記録」のページから記録が行なわれる。また、両面ともに「ふちなし記録」である場合には、１ページ目の記録が終了した時点で、通常の「ふちあり記録」を行うよりも長い時間待機し、後に、２ページ目の記録を行う。これにより、記録媒体の最端部におけるインクが、より確実に定着されてから裏面側の記録を行うので、インク吸収による最端部の記録媒体強度が弱まったことによる、紙詰まりなどの弊害を防止し、従来よりも安定した状態で、自動で両面の「ふちなし記録」を実現することが可能となるのである。
【００４０】
（第２の実施形態）
以下に本発明の第２の実施形態を説明する。本実施形態においても、記録装置内部の構成については、図１を用いて説明した第１の実施形態と同様とする。
【００４１】
図５は、本実施形態における制御の構成を説明する為のブロック図である。図において、図２と同様の符号のものは、第１の実施形態で説明したものと同様の機能を有するすものとする。
【００４２】
４００はデジタルカメラであり、本実施形態の記録装置はデジタルカメラ４００と直接接続することによって、デジタルカメラ４００で撮影した画像を記録することが可能となっている。
【００４３】
４０１は、記録装置本体に外付けされたＬＣＤ画面で表示可能なユーザインターフェイス（ＵＩ）である。ユーザは、ユーザインターフェイス４０１を用いて、デジタルカメラ４００から転送されて来た画像を記録する最の各種設定を行うことが出来る。
【００４４】
図６は、本実施形態で「ふちなし記録」を自動両面印刷で行う例を、記録の過程を段階ごとに説明する為の模式図である。
【００４５】
まず、ステップ６１において、ユーザは、デジタルカメラ４００で撮影した画像を印刷する旨のコマンドを転送する。
【００４６】
記録を行う際には、ユーザは記録装置に外付けされたＵＩ４０１を用いて、記録に関わる設定を行う。例えばここでは、「両面印刷」、「ふちなし記録」、「カードサイズ」および「インクジェット専用写真画質用紙」を選択したとする（ステップ６２）。
【００４７】
ＣＰＵ２００は、デジタルカメラ４００から転送されてくる画像データとともに、両面印刷命令コマンド、「ふちなし記録」を指示するコマンド（具体的には、記録開始位置がカードサイズ用紙の角であり記録範囲がカードサイズより＋２ｍｍずつ横、縦ともにはみだすこと）、紙種がインクジェット専用写真画質用紙であるというコマンドに従って、画像の処理を行った後、給紙を開始する（ステップ６３）。
【００４８】
給紙が行なわれ、記録ヘッド１０２の記録位置まで記録媒体１０５の最先端部が達すると、記録ヘッド１０２は記録を開始する。記録ヘッド１０２による記録走査と、搬送ローラ１０３による副走査とを繰り返し、記録媒体１０５の最後端部までの記録が完了すると、搬送ローラ１０３は停止した状態でＴ秒間待機する（ステップ６４）。ここで、Ｔの値は、記録媒体１０５の最後端部に着弾されたインクが充分乾燥し、インクジェット専用紙である記録媒体１０５に完全に定着するに充分な値であればよく、環境や記録装置の状況によって、調節することができる。本実施形態では、この値を２秒とする。
【００４９】
一方、ユーザが入力したコマンドが「ふちなし記録」で無かった場合には、待機時間は別値であるＳ秒と設定されている。Ｓの値は、最後に記録された領域が、その後搬送される自動両面印刷ユニットの反転ローラ１０７や記録装置内部を汚さない為に充分な時間であればよく、その目的や時間の設定は、特許文献２に準じるものであって良い。本実施形態においては、Ｔ＞Ｓとし、Ｓ＝０秒と設定している。
【００５０】
本実施形態においては、普通紙に記録を行った第１の実施形態と異なり、より定着速度の速いインクジェット専用の記録媒体を用いているので、ＴおよびＳにおいて、より小さな値が設定されている。但し、ＴとＳとでその値が異なり、Ｔ＞Ｓとなっていることは第１の実施形態と同様である。
【００５１】
２秒が経過すると、搬送ローラ１０３は、記録媒体１０５を自動両面印刷ユニット１０１に搬送する。自動両面ユニット１０１内の反転ローラ１０７は、図の様に回転し、記録が行なわれていない面を、上側にするように、記録媒体１０５を裏返す役割を果たす（ステップ６５）。
【００５２】
裏返された記録媒体１０５の最先端部は、再び記録ヘッド１０２の記録位置に配置され、記録ヘッド１０２は裏面側へのふちなし記録を開始する（ステップ６６）。
【００５３】
そして、記録媒体１０２の最後端部の記録が完了すると、搬送ローラ１０３により、記録媒体１０２が排紙トレイ１０６に排紙される（ステップ６７）。
【００５４】
以上で、両面ふちなし画像の記録が完了する。
【００５５】
次に、本実施形態における別の条件の記録例を説明する。ここでは、記録画像の片面が「ふちなし印刷」であり、もう片面が「ふちあり印刷」である場合とする。
【００５６】
図７は、片面がカードサイズの写真画像を記録する「ふちなし記録」、もう片面が宛名文字などを主体とした「ふちあり記録」を自動両面印刷で行う例を、記録の過程を段階ごとに説明する為の模式図である。ここで、写真画像については、デジタルカメラ４００で撮影した画像データを用い、宛名については予め記録装置のメモリに登録されている内容を適用するものとする。
【００５７】
まず、ステップ７１において、ユーザは、デジタルカメラ４００で撮影した画像を印刷する旨のコマンドを転送する。
【００５８】
記録を行う際には、ユーザは記録装置に外付けされたＵＩ４０１を用いて、記録に関わる設定を行う。例えばここでは、「両面印刷」、「１ページ目：デジタルカメラからの画像をふちなし記録、２ページ目：記録装置メモリ内のデータをふちあり記録」、「カードサイズ」および「インクジェット専用写真画質用紙」を選択したとする（ステップ７２）。
【００５９】
ＣＰＵ２００は、デジタルカメラ４００から転送されてくる画像データおよび記録装置のメモリ内に格納されている宛名データとともに、両面印刷命令コマンド、「ふちなし記録」を指示するコマンド（具体的には、記録開始位置がカードサイズ用紙の角であり記録範囲がカードサイズより＋２ｍｍずつ横、縦ともにはみだすこと）、紙種がインクジェット専用写真画質用紙であるというコマンドに従って、画像の処理を行った後、記録を開始する。このとき、本実施形態においては、宛名面である２ページ目の記録を最初に行い、次いで裏面に１ページ目の記録を行う様に制御される。給紙が行なわれ、記録ヘッド１０２の記録位置まで記録媒体１０５の最先端部から余白分の搬送が達成されると、記録ヘッド１０２は記録を開始する（ステップ７３）。
【００６０】
宛名データの最終部分までの記録が完了すると（ステップ７４）、本実施形態においてはＳ＝０であるので、搬送ローラ１０３は待機することなく、記録媒体１０５を逆方向に搬送する。自動両面ユニット１０１内の反転ローラ１０７は、図の様に回転し、記録が行なわれていない面を、上側にするように、記録媒体１０５を裏返す役割を果たす（ステップ７５）。
【００６１】
裏返された記録媒体１０５の最先端部は、再び記録ヘッド１０２の記録位置に配置され、記録ヘッド１０２は裏面側へのふちなし記録を開始する（ステップ７６）。
【００６２】
そして、記録媒体１０２の最後端部の記録が完了すると、搬送ローラ１０３により、記録媒体１０２が排紙トレイ１０６に排紙される（ステップ７７）。
【００６３】
以上で、「片面ふちなし記録、片面ふちあり記録」の画像の記録が完了する。
【００６４】
以上２つの例から分かるように、本実施形態においても、第１の実施形態と同様に、両面記録を行うに当たり、２つのページの記録が「ふちなし記録」か「ふちあり記録」かによって、その記録動作工程が異なっている。両者が混在している場合には、ページ順に関わらず、より待機時間の少ない「ふちあり記録」のページから記録が行なわれる。また、両面ともに「ふちなし記録」である場合には、１ページ目の記録が終了した時点で、通常の「ふちあり記録」を行うよりも長い時間待機し、後に、２ページ目の記録を行う。これにより、記録媒体の最端部におけるインクが、より確実に定着されてから裏面側の記録を行うので、インク吸収による最端部の記録媒体強度が弱まったことによる、紙詰まりなどの弊害を防止し、従来よりも安定した状態で、自動で両面の「ふちなし記録」を実現することが可能となるのである。
【００６５】
尚、以上説明した２つの実施形態においては、記録装置に外部接続された機器として、ホスト装置およびデジタルカメラを例に挙げたが、本発明はこれらに限定されるものではない。記録装置に画像を提供可能な手段であれば、これらの装置はいかなる形態でもよく、例えば、２つの実施形態を合わせた形で複数の外部装置に接続可能であってもよいし、記録装置内部に画像を保持できるシステムであっても本発明は有効とる。
【００６６】
更に、以上の実施形態では、普通紙とインクジェット専用紙を例に挙げて来たが、本発明は無論これら２つの種類の記録媒体に限定されるものでもない。複数の記録媒体に対応可能な形態とし、記録媒体の種類ごとに、ＴおよびＳの値が適切に設定されていれば、本発明の効果は得られるのである。
【００６７】
【発明の効果】
以上説明した様に本発明によれば、表面の記録で吸収されたインクが充分に乾燥および定着し、記録媒体の最端部において、正常な搬送が可能な強度に復活されてから、裏面記録のための搬送が開始されるので、インク液を含んで強度が低下している状態で搬送されることに起因する、記録装置内での紙詰まりを防止し、記録媒体の搬送を正常に行うことが可能となる。
【図面の簡単な説明】
【図１】本発明に適用可能な記録装置の内部構成を説明する為の模式的側断面図である。
【図２】本発明の第１の実施形態で適用するインクジェット記録装置の制御の構成を説明する為の簡単なブロック図である。
【図３】本発明の第１の実施形態で「ふちなし記録」を自動両面印刷で行う例を、記録の過程を段階ごとに説明する為の模式図である。
【図４】本発明の第１の実施形態で片面が「ふちなし記録」、もう片面が「ふちあり記録」を自動両面印刷で行う例を、記録の過程を段階ごとに説明する為の模式図である。
【図５】本発明の第２の実施形態で適用するインクジェット記録装置の制御の構成を説明する為の簡単なブロック図である。
【図６】本発明の第２の実施形態で「ふちなし記録」を自動両面印刷で行う例を、記録の過程を段階ごとに説明する為の模式図である。
【図７】本発明の第２の実施形態で片面が「ふちなし記録」、もう片面が「ふちあり記録」を自動両面印刷で行う例を、記録の過程を段階ごとに説明する為の模式図である。
【符号の説明】
１００  インクジェット記録装置本体
１０１  自動両面印刷ユニット
１０２  記録ヘッド
１０３  搬送ローラ
１０４  給紙トレイ
１０５  記録媒体
１０６  排紙トレイ
１０７  反転ローラ
２００  ＣＰＵ
２０１  ＲＯＭ
３００  ホスト装置
４００  デジタルカメラ
４０１  ＬＣＤ画面ＵＩ
【図１】
2005007820.tif 000003
【図２】
2005007820.tif 000004
【図３】
2005007820.tif 000005
【図４】
2005007820.tif 000006
【図５】
2005007820.tif 000007
【図６】
2005007820.tif 000008
【図７】
2005007820.tif 000009